(57)【要約】【課題】従来の表示装置で生成する文字“。”は、円形ではなく、楕円形となり、文字の表示品位が低い。【解決手段】デジタル放送波から、文字データと、標準様式または中型様式からなる文字データの文字種と、から構成される文字情報を抽出する文字情報抽出部と、標準様式のフォントデータを記憶する記憶部と、文字情報に基づき、標準様式のフォントデータを用いて、標準様式または中型様式で文字を生成し、標準文字または中型文字で生成した文字を表示制御する文字制御部と、からなる表示装置において、文字制御部は、文字データの文字種が中型様式である場合、文字種が中型様式である文字データから標準様式で文字を生成し、標準様式で生成した文字が表示可能である場合、標準様式で生成した文字を表示制御することを特徴とする。【選択図】図１
2012239099.tif 000002
【特許請求の範囲】
【請求項１】
デジタル放送波から、文字データと、標準様式または中型様式からなる前記文字データの文字種と、から構成される文字情報を抽出する文字情報抽出部と、
標準様式のフォントデータを記憶する記憶部と、
前記文字情報に基づき、前記標準様式のフォントデータを用いて、標準様式または中型様式で文字を生成し、前記標準文字または中型文字で生成した文字を表示制御する文字制御部と、
からなる表示装置において、
前記文字制御部は、
前記文字データの文字種が中型様式である場合、前記文字種が中型様式である文字データから標準様式で文字を生成し、前記標準様式で生成した文字が前記中型文字の文字表示領域で表示可能である場合、前記標準様式で生成した文字を前記中型文字の文字表示領域で表示制御する
ことを特徴とする表示装置。
【請求項２】
前記文字制御部は、
前記文字情報毎に、前記文字情報に含まれる文字データに基づき生成した文字の文字種を記憶し、
前記記憶した、現文字データの１つ前に生成した文字の文字種が中型様式であり、かつ、前記現文字データの文字種が中型様式である場合、前記文字種が中型様式である現文字データから中型様式で文字を生成する
ことを特徴とする請求項１記載の表示装置。
【請求項３】
デジタル放送波から、文字データと、標準様式または中型様式からなる前記文字データの文字種と、から構成される文字情報を抽出する文字情報抽出ステップと、
前記文字情報に基づき、標準様式のフォントデータを用いて、標準様式または中型様式で文字を生成し、前記標準文字または中型文字で生成した文字を表示制御する文字制御ステップと、からなる表示方法において、
前記文字制御ステップは、
前記文字データの文字種が中型様式である場合、前記文字種が中型様式である文字データから標準様式で文字を生成し、前記標準様式で生成した文字が前記中型文字の文字表示領域で表示可能である場合、前記標準様式で生成した文字を前記中型文字の文字表示領域で表示制御する
ことを特徴とする表示方法。
【請求項４】
前記文字制御ステップは、
前記文字情報毎に、前記文字情報に含まれる文字データに基づき生成した文字の文字種を記憶し、
前記記憶した、現文字データの１つ前に生成した文字の文字種が中型様式であり、かつ、前記現文字データの文字種が中型様式である場合、前記文字種が中型様式である現文字データから中型様式で文字を生成する
ことを特徴とする請求項３記載の表示方法。
【発明の詳細な説明】
【技術分野】
【０００１】
本発明は、表示装置および表示方法に関し、特に、標準様式のフォントデータを用いて、文字種が中型様式である文字データから標準様式で文字を生成し表示制御する技術に関するものである。
【背景技術】
【０００２】
表示装置に表示する文字、例えば字幕、に使用されるフォントとして、アウトラインフォントがある。アウトラインフォントは、文字の形状を輪郭線を表す点の座標値で定義しており、計算によって文字を拡大または縮小しても文字が潰れないという特徴を持つ。
【０００３】
一般に、表示装置は、デジタル放送波から抽出した文字情報に基づき、標準様式のアウトラインフォントデータを用いて、標準様式、中型様式または小型様式で文字を生成し表示制御している。
【０００４】
ここで、標準様式とは、縦１６ｄｏｔ×横１６ｄｏｔ、縦２０ｄｏｔ×横２０ｄｏｔ、縦２４ｄｏｔ×横２４ｄｏｔ、縦３０ｄｏｔ×横３０ｄｏｔ、縦３６ｄｏｔ×横３６ｄｏｔの５種類のいずれかの表示領域で表示する様式である。また、中型様式とは、標準様式の字方向（水平方向）の大きさのみを半分にして表示する様式である。また、小型様式とは、標準様式の字方向（水平方向）および行方向（垂直方向）の大きさを半分にして表示する様式である。
【０００５】
図１０は、従来の表示装置の構成を示すブロック図である。
【０００６】
表示装置１２０は、チューナ部１、ＴＤ（Ｔｒａｎｓｐｏｒｔ  Ｄｅｃｏｒｄｅｒ）部２、ＡＶ（Ａｕｄｉｏ  ＆  Ｖｉｄｅｏ）デコーダ部３、合成部５、ＡＶ出力部６、リモコン信号受信部７、記憶部８および制御部２４からなる。
【０００７】
チューナ部１は、受信したデジタル放送波から、現在選局されている番組に関するＭＰＥＧ２−ＴＳ（Ｍｏｔｉｏｎ  Ｐｉｃｔｕｒｅ  Ｅｘｐｅｒｔｓ  Ｇｒｏｕｐ  ｐｈａｓｅ２−Ｔｒａｎｓｐｏｒｔ  Ｓｔｒｅａｍ）を復調して、ＴＤ部２に出力する。
【０００８】
ＴＤ部２は、チューナ部１から出力されるＴＳをフィルタリングする機能を有し、ＴＳに含まれる映像データおよび音声データをＡＶデコーダ部３に、文字情報を制御部２４に出力する。文字情報は、例えば、文字データ、文字を表示装置の表示画面に表示する位置を示す文字位置、文字データの文字種（標準様式、中型様式、小型様式）、表示する文字が横書きか縦書きか、表示する文字の一文字の文字表示領域、等から構成される。
【０００９】
ＡＶデコーダ部３は、ＴＤ部２から出力される映像データおよび音声データを復号化し、合成部５に出力する。
【００１０】
記憶部８は、揮発性メモリ、不揮発性メモリ、ハードディスクドライブ等で構成される記憶手段であり、表示装置１２０を制御するプログラムや標準様式のアウトラインフォントデータを保持する。アウトラインフォントデータは、文字毎の、文字の形状を輪郭線を表す点の座標値で定義したデータである。
【００１１】
制御部２４は、表示装置１２０全体を制御する。例えば、制御部２４は、リモコン信号受信部７から出力される、リモコン３００において押下されたキーを示すキーコードに応じ、チューナ部１に対して所定の番組を選局し、選局したＭＰＥＧ２−ＴＳを復調することを指示する。また、例えば、制御部２４は、ＴＤ部２から出力される文字情報に基づき、記憶部８に保持されている標準形式のアウトラインフォントデータを用いて標準様式、中型様式または小型様式で文字を生成し、合成部５に出力する。
【００１２】
合成部５は、ＡＶデコーダ部３から出力される映像データおよび音声データに、制御部２４から出力される文字を合成し、ＡＶ出力部６に出力する。
【００１３】
ＡＶ出力部６は、合成部５から出力される合成後の映像データおよび音声データを表示部２００に出力する。
【００１４】
リモコン信号受信部７は、無線伝送路を介してリモコン３００から出力されるユーザ操作情報を受信し、当該情報を解析して、リモコン３００において操作されたキーおよびその操作の内容等を示すデータであるキーコードとして制御部２４に出力する。
【００１５】
図１１は、従来の表示装置の制御部が生成する文字の表示例を示す図である。
【００１６】
図１１に示す文字は、文字データが“こんにちは。”、文字データの文字種として“こんにちは”は標準様式、“。”は中型様式、表示する文字の一文字の文字表示領域として縦３６ｄｏｔ×横３６ｄｏｔ、表示する文字が“横書き”である文字情報に基づき、標準様式のアウトラインフォントデータを用いて生成された文字である。
【００１７】
文字データ“こんにちは”は、標準様式のアウトラインフォントデータを用いて標準様式で作成される。つまり、標準様式のアウトラインフォントデータを用いて標準様式で作成された文字が、標準様式の文字表示領域；縦３６ｄｏｔ×横３６ｄｏｔに合うように縦・横の比率を等倍に拡大または縮小されて表示されている。
【００１８】
一方、文字データ“。”は、標準様式のアウトラインフォントデータを用いて中型様式で作成される。つまり、標準様式のアウトラインフォントデータを用いて標準様式で作成された文字が、中型様式の文字表示領域；縦３６ｄｏｔ×横１８ｄｏｔに合うように縦・横の比率を２：１に拡大または縮小されて表示されている。
【先行技術文献】
【非特許文献】
【００１９】
【非特許文献１】ＡＲＩＢ  ＴＲ−Ｂ１５  第一部  第三篇
【発明の概要】
【発明が解決しようとする課題】
【００２０】
したがって、図１１に示すように、従来の表示装置で生成する文字“。”は、円形ではなく、楕円形となり、文字の表示品位が低い。
【００２１】
標準様式のアウトラインフォントデータに加えて、中型様式のアウトラインフォントデータを保持すれば、中型様式のアウトラインフォントデータを用いて中型様式で文字が作成されるので、文字“。”は円形となり文字の表示品位は高いが、表示装置は、中型様式のアウトラインフォントデータを保持するためのメモリの容量が必要となる。
【００２２】
本発明は、前記従来の課題を解決するもので、標準様式のアウトラインフォントデータを用いて文字種が中型様式である文字データから標準様式で文字を生成し表示制御する表示装置および表示方法を提供することを目的とする。
【課題を解決するための手段】
【００２３】
上記課題を解決するために、本発明の表示装置は、デジタル放送波から、文字データと、標準様式または中型様式からなる前記文字データの文字種と、から構成される文字情報を抽出する文字情報抽出部と、標準様式のフォントデータを記憶する記憶部と、前記文字情報に基づき、前記標準様式のフォントデータを用いて、標準様式または中型様式で文字を生成し、前記標準文字または中型文字で生成した文字を表示制御する文字制御部と、からなる表示装置において、前記文字制御部は、前記文字データの文字種が中型様式である場合、前記文字種が中型様式である文字データから標準様式で文字を生成し、前記標準様式で生成した文字が前記中型文字の文字表示領域で表示可能である場合、前記標準様式で生成した文字を前記中型文字の文字表示領域で表示制御することを特徴とする。
【００２４】
また、本発明の表示方法は、デジタル放送波から、文字データと、標準様式または中型様式からなる前記文字データの文字種と、から構成される文字情報を抽出する文字情報抽出ステップと、前記文字情報に基づき、標準様式のフォントデータを用いて、標準様式または中型様式で文字を生成し、前記標準文字または中型文字で生成した文字を表示制御する文字制御ステップと、からなる表示方法において、前記文字制御ステップは、前記文字データの文字種が中型様式である場合、前記文字種が中型様式である文字データから標準様式で文字を生成し、前記標準様式で生成した文字が前記中型文字の文字表示領域で表示可能である場合、前記標準様式で生成した文字を前記中型文字の文字表示領域で表示制御することを特徴とする。
【００２５】
本発明の表示装置および表示方法によれば、文字データの文字種が中型様式である場合、標準様式のフォントデータを用いて、文字種が中型様式である文字データから標準様式で文字を生成し、標準様式で生成した文字が中型様式の文字表示領域で表示可能である場合、標準様式で生成した文字を中型様式の文字表示領域で表示制御するので、文字の表示品位が高い。
【発明の効果】
【００２６】
本発明の表示装置および表示方法によれば、文字データの文字種が中型様式である場合、標準様式のフォントデータを用いて、文字種が中型様式である文字データから標準様式で文字を生成し、標準様式で生成した文字が中型様式の文字表示領域で表示可能である場合、標準様式で生成した文字を中型様式の文字表示領域で表示制御するので、文字の表示品位が高い。
【００２７】
また、本発明の表示装置および表示方法によれば、文字情報毎に、文字情報に含まれる文字データに基づき生成した文字の文字種を自身に保持し、保持している、現文字データの１つ前に生成した文字の文字種が中型様式であり、かつ、現文字データの文字種が中型様式である場合、標準様式のアウトラインフォントデータを用いて、文字種が中型様式である現文字データから中型様式で文字を生成し表示制御するので、中型様式で生成した文字が連続し、文字の表示品位が高い。
【図面の簡単な説明】
【００２８】
【図１】本発明の実施例１に係る表示装置の構成を示すブロック図
【図２】本発明の実施例１に係る表示装置がデジタル放送波から抽出する文字情報の一例を示す図
【図３】本発明の実施例１に係る表示装置の動作を示すフローチャート
【図４】本発明の実施例１に係る表示装置の制御部が生成する文字の表示例を示す図
【図５】本発明の実施例１に係る表示装置の制御部が生成する文字の表示例を示す図
【図６】本発明の実施例２に係る表示装置の構成を示すブロック図
【図７】本発明の実施例２に係る表示装置がデジタル放送波から抽出する文字情報の一例を示す図
【図８】本発明の実施例２に係る表示装置の動作を示すフローチャート
【図９】本発明の実施例２に係る表示装置の制御部が生成する文字の表示例を示す図
【図１０】従来の表示装置の構成を示すブロック図
【図１１】従来の表示装置の制御部が生成する文字の表示例を示す図
【発明を実施するための形態】
【００２９】
以下、本発明を実施するための一形態について、図面を参照しながら説明する。
【実施例１】
【００３０】
＜表示装置の構成＞
図１は、本発明の実施例１に係る表示装置の構成を示すブロック図である。
【００３１】
表示装置１００は、チューナ部１、ＴＤ（Ｔｒａｎｓｐｏｒｔ  Ｄｅｃｏｒｄｅｒ）部２、ＡＶ（Ａｕｄｉｏ  ＆  Ｖｉｄｅｏ）デコーダ部３、制御部４、合成部５、ＡＶ出力部６、リモコン信号受信部７および記憶部８からなる。
【００３２】
チューナ部１は、受信したデジタル放送波から、現在選局されている番組に関するＭＰＥＧ２−ＴＳ（Ｍｏｔｉｏｎ  Ｐｉｃｔｕｒｅ  Ｅｘｐｅｒｔｓ  Ｇｒｏｕｐ  ｐｈａｓｅ２−Ｔｒａｎｓｐｏｒｔ  Ｓｔｒｅａｍ）を復調して、ＴＤ部２に出力する。
【００３３】
ＴＤ部２は、チューナ部１から出力されるＴＳをフィルタリングする機能を有し、ＴＳに含まれる映像データおよび音声データをＡＶデコーダ部３に、文字情報を制御部４に出力する。文字情報は、例えば、文字データ、文字を表示装置の表示画面に表示する位置を示す文字位置、文字データの文字種（標準様式、中型様式、小型様式）、表示する文字が横書きか縦書きか、表示する文字の一文字の文字表示領域、等から構成される。
【００３４】
図２は、本発明の実施例１に係る表示装置がデジタル放送波から抽出する文字情報の一例を示す図である。文字情報２０は、１〜１０、ａ〜ｚおよびＡ〜Ｚの英数字の組み合わせで表現されている。図２において、文字情報２０の内容の理解を容易にするために、文字情報の右側に説明を付している。文字情報２０は、表示する文字が横書きで、表示する文字の一文字の標準様式の文字表示領域が縦３６ｄｏｔ×横３６ｄｏｔで、文字データ“こんにちは”を標準様式で、文字データ“。”を中型様式で所定の位置に表示することを規定する情報である。
【００３５】
ＡＶデコーダ部３は、ＴＤ部２から出力される映像データおよび音声データを復号化し、合成部５に出力する。
【００３６】
記憶部８は、揮発性メモリ、不揮発性メモリ、ハードディスクドライブ等で構成される記憶手段であり、表示装置１００を制御するプログラムや標準様式のアウトラインフォントデータを保持する。アウトラインフォントデータは、文字毎の、文字の形状を輪郭線を表す点の座標値で定義したデータである。
【００３７】
制御部４は、表示装置１００全体を制御する。例えば、制御部４は、リモコン信号受信部７から出力される、リモコン３００において押下されたキーを示すキーコードに応じ、チューナ部１に対して所定の番組を選局し、選局したＭＰＥＧ２−ＴＳを復調することを指示する。また、例えば、制御部４は、ＴＤ部２から出力される文字情報に基づき、記憶部８に保持されている標準形式のアウトラインフォントデータを用いて標準様式、中型様式または小型様式で文字を生成し、合成部５に出力する。
【００３８】
合成部５は、ＡＶデコーダ部３から出力される映像データおよび音声データに、制御部４から出力される文字を合成し、ＡＶ出力部６に出力する。
【００３９】
ＡＶ出力部６は、合成部５から出力される合成後の映像データおよび音声データを表示部２００に出力する。
【００４０】
リモコン信号受信部７は、無線伝送路を介してリモコン３００から出力されるユーザ操作情報を受信し、当該情報を解析して、リモコン３００において操作されたキーおよびその操作の内容等を示すデータであるキーコードとして制御部４に出力する。
【００４１】
なお、本実施例１において、チューナ部１およびＴＤ部２が文字情報抽出部に相当し、制御部４が文字制御部に相当する。
【００４２】
＜表示装置の動作＞
図３は、本発明の実施例１に係る表示装置の動作を示すフローチャートである。
【００４３】
以下、表示装置１００が、デジタル放送波から抽出した文字情報２０に基づき、標準様式のアウトラインフォントデータを用いて、標準様式、中型様式または小型様式で文字を生成し表示制御する動作について説明する。
【００４４】
制御部４は、ＴＤ部２で抽出される文字情報２０を解析し、文字データ“こんにちは”の存在を確認すると、文字データ“こんにちは”の文字種を確認する（ステップＳ３１）。制御部４は、文字データ“こんにちは”の文字種が標準様式であることを確認すると（ステップＳ３１でＮｏ）、記録部８が保持する標準様式のアウトラインフォントデータを用いて、文字データ“こんにちは”を標準様式で生成する。つまり、制御部４は、記録部８が保持する標準様式のアウトラインフォントデータを用いて、文字情報２０で指定されている標準様式の文字表示領域；縦３６ｄｏｔ×横３６ｄｏｔに合うように、標準様式で生成した文字“こんにちは”を拡大または縮小する（ステップＳ３２）。制御部４は、全ての文字データの文字を生成したか否かを確認する（ステップＳ３３）。制御部４は、文字情報２０において、文字データ“。”の文字を生成していないことを確認すると（ステップＳ３３でＮｏ）、ステップＳ３１に戻る。
【００４５】
次に、制御部４は、文字データ“。”の文字種を確認する（ステップＳ３１）。制御部４は、文字データ“。”の文字種は中型様式であることを確認すると（ステップＳ３１でＹｅｓ）、記録部８が保持する標準様式のアウトラインフォントデータを用いて、文字データ“。”を標準様式で生成する。つまり、制御部４は、記録部８が保持する標準様式のアウトラインフォントデータを用いて、文字情報２０で指定されている標準様式の文字表示領域；縦３６ｄｏｔ×横３６ｄｏｔに合うように、標準様式で生成した文字“。”を拡大または縮小する（ステップＳ３４）。そして、制御部４は、標準様式で生成した文字“。”を中型様式の文字表示領域；縦３６ｄｏｔ×横１８ｄｏｔに配置し直し、配置し直した標準様式の文字“。”が中型様式の文字表示領域；縦３６ｄｏｔ×横１８ｄｏｔに包含されるか否かを確認する（ステップＳ３５）。
【００４６】
図４は、本発明の実施例１に係る表示装置の制御部が生成する文字の表示例を示す図である。図４（ａ）には、文字種が中型様式である文字データ“。”から標準様式のアウトラインフォントデータを用いて生成された標準様式の文字“。”が、標準様式の文字表示領域；縦３６ｄｏｔ×横３６ｄｏｔに示されている。図４（ｂ）には、図４（ａ）に示す標準様式の文字“。”が中型様式の文字表示領域；縦３６ｄｏｔ×横１８ｄｏｔに示されている。より具体的には、文字“。”の文字種を標準様式から中型様式に変更することに伴い、標準様式の文字“。”の表示位置が修正される。つまり、図４（ｂ）において、文字表示領域が字方向（水平方向）に１／２になったことに伴い、標準様式の文字“。”の表示開始位置が、文字表示領域の左端から４ｄｏｔから左端から２ｄｏｔに修正される。ここで、図４（ｂ）に示す通り、標準様式の文字“。”は、中型様式の文字表示領域；縦３６ｄｏｔ×横１８ｄｏｔで表現可能となっている。言い換えれば、標準様式の文字“。”は、中型様式の文字表示領域；縦３６ｄｏｔ×横１８ｄｏｔ内に包含されている（ステップＳ３５でＹｅｓ）。
【００４７】
制御部４は、全ての文字データの文字を生成したことを確認すると（ステップＳ３３でＹｅｓ）、標準様式の文字表示領域；縦３６ｄｏｔ×横３６ｄｏｔで生成した標準様式の文字“こんにちは”および中型領域の文字表示領域；縦３６ｄｏｔ×横１８ｄｏｔで生成した標準様式の文字“。”を合成部５に出力する。
【００４８】
文字“こんにちは。”は、合成部５でＡＶデコーダ部３から出力される映像データおよび音声データと合成され、ＡＶ出力部６から表示部２００に表示される（ステップＳ３７）。
【００４９】
図５は、本発明の実施例１に係る表示装置の制御部が生成する文字の表示例を示す図である。図５に示すように、表示装置１００で生成する文字“。”は、楕円形ではなく、円形となり、文字の表示品位が良い。
【００５０】
以上、本発明の表示装置および表示方法によれば、文字データの文字種が中型様式である場合、標準様式のアウトラインフォントデータを用いて、文字種が中型様式である文字データから標準様式で文字を生成し、標準様式で生成した文字が中型様式の文字表示領域で表示可能である場合、標準様式で生成した文字を中型様式の文字表示領域で表示制御するので、文字の表示品位が高い。
【００５１】
なお、実施例１では、制御部４は、文字データの文字種が中型様式である場合、標準様式のアウトラインフォントデータを用いて、文字種が中型様式である文字データから標準様式で文字を生成し、標準様式で生成した文字が中型様式の表示領域で表示可能であるか否かを判断したが、文字種が中型様式である文字データから標準様式で生成する文字の内、中型様式の表示領域で表示可能な文字を予めデータベースとして記憶部８に記憶しておき、抽出した文字情報から文字種が中型様式である文字データを確認すると、記憶部８に予め記憶した上述のデータベースを用いて、文字種が中型様式である文字データから標準様式で生成した文字が中型様式の表示領域で表示可能であるか否かを確認することとしても良い。これにより、制御部４による文字種が中型様式である文字データから標準様式で生成した文字が中型様式の文字表示領域で表示可能であるか否かの演算を省略することができるとともに、中型様式のアウトラインフォントデータを保持するよりも必要となるメモリ容量が少量で済む。
【実施例２】
【００５２】
＜表示装置の構成＞
図６は、本発明の実施例２に係る表示装置の構成を示すブロック図である。
【００５３】
表示装置１１０は、チューナ部１、ＴＤ（Ｔｒａｎｓｐｏｒｔ  Ｄｅｃｏｒｄｅｒ）部２、ＡＶ（Ａｕｄｉｏ  ＆  Ｖｉｄｅｏ）デコーダ部３、合成部５、ＡＶ出力部６、リモコン信号受信部７、記憶部８および制御部１４からなる。
【００５４】
実施例１の表示装置１００と異なる点は、表示装置１１０は、制御部４に換えて、制御部１４を備える点である。以下、制御部１４を中心に表示装置１１０の構成および動作を説明する。
【００５５】
制御部１４が、制御部４と異なる点は、文字情報毎に、文字情報に含まれる文字データに基づき生成した文字の文字種を自身に保持する点である。詳細は後述する。
【００５６】
ここで、図７は、本発明の実施例２に係る表示装置がデジタル放送波から抽出する文字情報の一例を示す図である。文字情報３０は、表示する文字が横書きで、表示する文字の一文字の標準様式の文字表示領域が縦３６ｄｏｔ×横３６ｄｏｔで、文字データ“こんにちは”および文字データ“。”を中型様式で所定の位置に表示することを規定する情報である。
【００５７】
＜表示装置の動作＞
図８は、本発明の実施例２に係る表示装置の動作を示すフローチャートである。
【００５８】
以下、表示装置１１０が、デジタル放送波から抽出した文字情報３０に基づき、標準様式のアウトラインフォントデータを用いて、標準様式、中型様式または小型様式で文字を生成し表示制御する動作について説明する。
【００５９】
制御部１４は、ＴＤ部２で抽出される文字情報３０を解析し、文字データ“こんにちは”の存在を確認すると、文字情報３０において、既に生成した文字が存在し、生成した文字が存在する場合、生成した文字の文字種が中型様式であるか否かを確認する（ステップＳ８１）。文字情報３０において、文字データ“こんにちは”の前に生成した文字データは存在しないので（ステップＳ８１でＮｏ）、制御部１４は、文字データ“こんにちは”の文字種を確認する（ステップＳ８２）。制御部１４は、文字データ“こんにちは”の文字種が中型様式であることを確認すると（ステップＳ８２でＹｅｓ）、記録部８が保持する標準様式のアウトラインフォントデータを用いて、文字データ“こんにちは”を標準様式で生成する。つまり、制御部１４は、記録部８に保持する標準様式のアウトラインフォントデータを用いて、文字情報３０で指定されている標準様式の文字表示領域；縦３６ｄｏｔ×横３６ｄｏｔに合うように、標準様式で生成した文字“こんにちは”を拡大または縮小する（ステップＳ８３）。そして、制御部１４は、標準様式で生成した文字“こんにちは”を中型様式の文字表示領域；縦３６ｄｏｔ×横１８ｄｏｔに配置し直し、配置し直した標準様式の文字“こんにちは”が中型様式の文字表示領域；縦３６ｄｏｔ×横１８ｄｏｔに包含されるか否かを確認する（ステップＳ８４）。ここでは、標準様式で生成した文字“こんにちは”を中型様式の文字表示領域；縦３６ｄｏｔ×横１８ｄｏｔに配置し直し、配置し直した標準様式の文字“こんにちは”が中型様式の文字表示領域；縦３６ｄｏｔ×横１８ｄｏｔに包含されないとして話を進める（ステップＳ８４でＮｏ）。
【００６０】
制御部１４は、記録部８が保持する標準様式のアウトラインフォントデータを用いて、文字データ“こんにちは”を中型様式で生成する。つまり、制御部１４は、記録部８が保持する標準様式のアウトラインフォントデータを用いて、文字情報３０で指定されている標準様式の文字表示領域；縦３６ｄｏｔ×横３６ｄｏｔに合うように、標準様式で生成した文字“こんにちは”を拡大または縮小した後、中型様式の文字表示領域；縦３６ｄｏｔ×横１８ｄｏｔに合うように、標準様式で生成した文字“こんにちは”を字方向（水平方向）に１／２に縮小する（ステップＳ８５）。
【００６１】
制御部１４は、全ての文字データの文字を生成したか否かを確認する（ステップＳ８６）。制御部１４は、文字情報３０において、文字データ“。”の文字を生成していないことを確認すると（ステップＳ８６でＮｏ）、ステップＳ８１に戻る。
【００６２】
次に、制御部１４は、文字情報３０において、既に生成した文字が存在し、生成した文字が存在する場合、生成した文字の文字種が中型様式であるか否かを確認する（ステップＳ８１）。制御部１４は、文字情報３０において、文字データ“。”の１つ前に文字“こんにちは”を生成し、かつ生成した文字“こんにちは”の文字種が中型様式であることを確認すると（ステップＳ８１でＹｅｓ）、記録部８が保持する標準様式のアウトラインフォントデータを用いて、文字データ“。”を中型様式で生成する。つまり、制御部１４は、文字情報３０で指定されている標準様式の文字表示領域；縦３６ｄｏｔ×横３６ｄｏｔに合うように、標準様式で生成した文字“。”を拡大または縮小した後、中型様式の文字表示領域；縦３６ｄｏｔ×横１８ｄｏｔに合うように、標準様式で生成した文字“。”を字方向（水平方向）に１／２に縮小する（ステップＳ８５）。
【００６３】
つまり、制御部１４は、実施例１の表示装置１００とは異なり、文字情報毎に、文字情報に含まれる文字データに基づき生成した文字の文字種を自身に保持し、保持している、現文字データの１つ前に生成した文字の文字種が中型様式であり、かつ、現文字データの文字種が中型様式である場合、標準様式のアウトラインフォントデータを用いて、文字種が中型様式である現文字データから中型様式で文字を生成する。
【００６４】
制御部１４は、全ての文字データの文字を生成したことを確認すると（ステップＳ８６でＹｅｓ）、中型様式の文字表示領域；縦３６ｄｏｔ×横１８ｄｏｔで生成した中型様式の文字“こんにちは”および文字“。”を合成部５に出力する。
【００６５】
文字“こんにちは。”は、合成部５でＡＶデコーダ部３から出力される映像データおよび音声データと合成され、ＡＶ出力部６から表示部２００に表示される（ステップＳ８７）。
【００６６】
図９は、本発明の実施例２に係る表示装置の制御部が生成する文字の表示例を示す図である。図９に示すように、表示装置１１０で生成する文字“。”は、円形ではなく、楕円形となるが、中型様式で生成した文字“こんにちは”に中型様式で生成した文字“。”が続くので表示品位が良い。
【００６７】
以上、本発明の表示装置および表示方法によれば、文字情報毎に、文字情報に含まれる文字データに基づき生成した文字の文字種を自身に保持し、保持している、現文字データの１つ前に生成した文字の文字種が中型様式であり、かつ、現文字データの文字種が中型様式である場合、標準様式のアウトラインフォントデータを用いて、文字種が中型様式である現文字データから中型様式で文字を生成し表示制御するので、中型様式で生成した文字が連続し、文字の表示品位が高い。
【産業上の利用可能性】
【００６８】
本発明は、文字データの文字種が中型様式である場合、標準様式のフォントデータを用いて、文字種が中型様式である文字データから標準様式で文字を生成し、標準様式で生成した文字が中型様式の文字表示領域で表示可能である場合、標準様式で生成した文字を表示制御するので、文字の表示品位が高く、表示装置に文字を表示する技術として有用である。
【符号の説明】
【００６９】
１    チューナ部
２    ＴＤ部
３    ＡＶデコーダ部
４、１４、２４    制御部
５    合成部
６    ＡＶ出力部
７    リモコン信号受信部
８    記憶部
２０、３０    文字情報
１００、１１０、１２０    表示装置
２００    表示部
３００    リモコン
【図１】
2012239099.tif 000003
【図２】
2012239099.tif 000004
【図３】
2012239099.tif 000005
【図４】
2012239099.tif 000006
【図５】
2012239099.tif 000007
【図６】
2012239099.tif 000008
【図７】
2012239099.tif 000009
【図８】
2012239099.tif 000010
【図９】
2012239099.tif 000011
【図１０】
2012239099.tif 000012
【図１１】
2012239099.tif 000013